(57)【要約】【課題】  リモコン照明器具は、付属の専用リモコンにより制御されるのが当然であったが、この専用リモコンを使用せず、既存のリモコン（テレビ、エヤコン、ビデオなど電気製品のリモコン）による制御可能な「受信回路網」の装置が実現できれば、専用リモコン無しの「リモコン照明器具」が実現できるはずである。  即ち、それを照明器具に搭載し、制御は既存のリモコンにより実現する。【解決手段】  既存のリモコンが発射するコードパルス数が複数桁のパルス数から構成されている事に着目し、このパルスを受信し解析し、既存のリモコンにより制御可能な「受信回路網」の装置を実現し、それを搭載した照明器具に、既存のリモコンを向けてスイッチ（どのスイッチでも可能）を押す事で、照明器具の制御を可能にする。勿論、従来の手動操作（紐を引っ張る）との併用も可能にする。【選択図】  図１
2005347229.tif 000002
【特許請求の範囲】
【請求項１】
付属の専用リモコンを使用しないで、既存のリモコン（テレビ、エヤコン、ビデオなど電気器具製品のリモコン）により、制御（照明灯のＯＮ／ＯＦＦ）を可能にした「受信回路網」（図１〜図８）の装置を搭載した「リモコン照明器具」。
即ち、付属の専用リモコン不用の「リモコン照明器具」であり、既存のリモコンにより制御を実現する。
【発明の詳細な説明】
【発明の詳細な説明】
【技術分野】
【０００１】  本発明は、リモコン照明器具の付属の専用リモコンを既存のリモコンに代用させる事を可能にする「受信回路網」の装置に関するものである。即ち、付属の専用リモコンを必要とせず従来の使用方法（紐で引っ張る）をも併用可能にする「受信回路網」の装置を搭載する「リモコン照明器具」の実現に関するものである。
【背景技術】
【０００２】  従来のリモコン照明器具は、付属の専用リモコンにより、制御される「受信回路網」の装置を搭載しているものであり、付属の専用リモコンそのものがコスト高、資源の浪費であった。
【発明が解決しようとする課題】
【０００３】  リモコン照明器具の付属の専用リモコンを使用せずに、既存のリモコンによる制御可能な「受信回路網」の装置が実現できれば、付属の専用リモコン不用の「リモコン照明器具」が実現できるはずである。
勿論、従来の使用方法（紐で引っ張る）との併用も可能にする。
【課題を解決するための手段】
【０００４】  既存のリモコンが発射するコードパルス数が、複数桁のパルス数から構成されている事に着目し、このパルスを受信し解析し、制御可能な「受信回路網」の装置を実現し、それを照明器具に搭載し、既存のリモコン（種類、機種を特定せず）を照明器具に向けてスイッチ（どのスイッチでも可能）を押す事により、制御を可能にする、「受信回路網」の装置を搭載した「リモコン照明器具」である。
本発明は、以上の構成による「受信回路網」の装置を搭載し、既存のリモコンにより制御を可能にする、「リモコン照明器具」である。
【発明を実施するための最良の形態】
【０００５】  「受信回路網」の装置は図１〜図８により実現する。図１に於いて、全灯消灯時から第一灯目の点灯までの動作を信号の流れに沿って説明する。
受光素子（ＧＰ）１が第一番目の到来パルス（ノイズ・パルスも含む）を検出すると、タイマー１（Ｔ１）２は、スタートし、カウンター１（Ｃ１）３はリセットが解除され、到来パルスをカウントし始める。
タイマー１（Ｔ１）２の設定時間内にカウンター１（Ｃ１）３のカウントするパルス数がカウンター１（Ｃ１）３の設定数値以上カウントした場合にのみ、カウンター１（Ｃ１）３は１パルスを出力し、タイマー２（Ｔ２）４をスタートさせる。
１パルスが出力されずタイマー１（Ｔ１）２がタイムアウトした場合は、到来パルスは不正常だとして、カウンター１（Ｃ１）３はリセットされ、次の到来パルスを待つ事になる。
この動作の役割は、タイマー１（Ｔ１）２の設定時間内に到来したパルス数をカウンター１（Ｃ１）３が設定数値以上カウントした（正常な到来パルス）かを監視する事によって、ノイズ・パルスなどによる誤動作防止の効果を上げるものである。
タイマー２（Ｔ２）４がスタートすると、その出力は、タイマー１（Ｔ１）２、カウンター１（Ｃ１）３を強制的にリセット（設定時間）すると共に、カウンター２（Ｃ２）５が１ステップ進み、ソリッド・ステートリレー（ＳＳＲ１）１０を経て、第一灯目（Ｌ１）１１を点灯させる。
タイマー２（Ｔ２）４がタイムアウトすると、次の到来パルスの受付が可能。
尚、このタイマー２（Ｔ２）４の設定時間は、連続して到来するパルス（ノイズも含む）を無効にすると共に、蛍光灯を搭載した照明器具の場合などは、グローランプ、蛍光灯の経年劣化などにより、点灯までの時間の不確定さ、いつ発生するかもしれない劣悪ノイズ・パルスなどを考慮し、照明灯の点灯のみを確実に実現させる為の時間でもある。これで第一灯目の点灯動作は終了である。
続いて、第二灯目以降への点灯替えは、カウンター１（Ｃ１）３が１パルスを出力する毎に、カウンター２（Ｃ２）５のカウントを進め、第一灯目の点灯動作と同様、順次切り替わって行く。
照明灯の搭載灯数が複数（１〜数個）の場合、搭載灯数に合致した回路設定（何灯用に設定するか）を任意可能（図１の設定スイッチ（Ｓ２）９により、３灯の場合はＣと３を、２灯の場合はＣと２を、１灯の場合はＣと１を接続する）である。
又、従来通りの手動による使用（紐で引っ張る）も可能（図１の手動スイッチ（Ｓ１）８により）であり、リモコンと手動との併用も可能である。
【発明の効果】
【０００６】効果１：価格低減、資源の有効利用の実現。
付属の専用リモコンが存在しないと言う事は、リモコン照明器具の価格低減の実現に加え、使用者のリモコンの維持管理費も存在しない。
効果２：リモコンの所在探索の軽減、利便性優位の実現。
リモコンをどこにおいたのか、どれ（暗中で複数の場合など）なのかと言う事に煩わされる事なく、近くにある既存のリモコンにより、照明器具の制御が実現できる事から高齢者、身体不自由者などの利便性が高い。
効果３：他の器機類への搭載も可能。
扇風機など。
【図面の簡単な説明】
【図１】一般的なＩＣとソリッドステートリレーで構成する等価回路図の略図。
【図２】一般的なＩＣとソレノイドで構成する等価回路図の略図。
【図３】一般的なＩＣと小型モーターで構成する等価回路図の略図。
【図４】一般的なＩＣと調光器で構成する等価回路図の略図。
【図５】マイクロコンピュータとソリッドステートリレーで構成する等価回路図の略図。
【図６】マイクロコンピュータとソレノイドで構成する等価回路図の略図。
【図７】マイクロコンピュータと小型モーターで構成する等価回路図の略図。
【図８】マイクロコンピュータと調光器で構成する等価回路図の略図。
【符号の説明】
１  受光素子（ＧＰ）
２  タイマー１（Ｔ１）
３  カウンター１（Ｃ１）
４  タイマー２（Ｔ２）
５  カウンター２（Ｃ２）
６  タイマー３（Ｔ３）
７  Ａ／Ｄコンバータ（ＡＤ）
８  手動スイッチ（紐で引っ張る）（Ｓ１）
９  照明灯数の設定スイッチ（Ｓ２）
１０  ソリッドステートリレー（ＳＳＲ１）
１１  照明灯（Ｌ１）
１２  マイクロコンピュータ（ＣＰＵ）
１３  強制リセット・スイッチ（Ｓ３）
１４  小型モーター（Ｍ）
１５  ソレノイド（Ｇ）
１６  調光器
【図１】
2005347229.tif 000003
【図２】
2005347229.tif 000004
【図２】
2005347229.tif 000005
【図４】
2005347229.tif 000006
【図５】
2005347229.tif 000007
【図６】
2005347229.tif 000008
【図７】
2005347229.tif 000009
【図８】
2005347229.tif 000010
【手続補正書】
【提出日】平成16年8月10日(2004.8.10)
【手続補正１】
【補正対象書類名】図面
【補正対象項目名】全図
【補正方法】変更
【補正の内容】
【図１】
2005347229.tif 000011
【図２】
2005347229.tif 000012
【図３】
2005347229.tif 000013
【図４】
2005347229.tif 000014
【図５】
2005347229.tif 000015
【図６】
2005347229.tif 000016
【図７】
2005347229.tif 000017
【図８】
2005347229.tif 000018